(57)【要約】      （修正有）【課題】各使用者のエネルギー消費性向を他の使用者のエネルギー消費性向と多様な側面で客観的に比較して、より一層能動的にエネルギーを節約して合理的にエネルギーを消費できるように誘導する。【解決手段】各エネルギー使用者のエネルギー消費性向を他の使用者のエネルギー消費性向と比較する。このために、各エネルギー使用者のエネルギー使用情報と比較条件(家の大きさ、家族の人数、エネルギー消費地域等)を収集し、各エネルギー使用者のエネルギー消費性向を類似生活環境の他の使用者のエネルギー消費性向と比較して見せる。比較のための各種統計情報は、各家庭に備えられるＩＨＤ（Ｉｎ  Ｈｏｍｅ  Ｄｉｓｐｌａｙ）を介して提供する。【効果】使用者等は簡単かつ、便利に自らのエネルギー消費性向を評価して見ることができる。【選択図】図２
2012190457.tif 000002
【特許請求の範囲】
【請求項１】
エネルギー表示装置において、
エネルギー使用者のエネルギー関連データを検出するスマートメータ、
前記エネルギー使用者から他のエネルギー使用者と比較するための比較条件の入力を受ける入力手段、
前記入力された比較条件に相応して他のエネルギー使用者のエネルギー関連データを受信して処理する統計情報処理手段、及び
前記統計情報処理手段の結果を表示するＩＨＤを含むことを特徴とする、エネルギー表示装置。
【請求項２】
前記比較条件は、家の大きさ、家族の人数、エネルギー消費地域の中で選択的に適用することを特徴とする、請求項１に記載のエネルギー表示装置。
【請求項３】
前記入力手段は、前記ＩＨＤに位置することを特徴とする、請求項１または２に記載のエネルギー表示装置。
【請求項４】
前記入力手段は、前記スマートメータに位置することを特徴とする、請求項１乃至３のうちいずれか一つに記載のエネルギー表示装置。
【請求項５】
前記統計情報処理手段は、データ集中装置−前記データ集中装置は、一定地域のスマートメータと前記スマートメータを総括的に管理するスマート計量システムサーバの間のデータ送受信を中継する装置である−に位置することを特徴とする、請求項１乃至４のうちいずれか一つに記載のエネルギー表示装置。
【請求項６】
前記統計情報処理手段は、前記スマートメータを総括的に管理するスマート計量システムサーバに位置することを特徴とする、請求項１乃至５のうちいずれか一つに記載のエネルギー表示装置。
【請求項７】
前記ＩＨＤは、他のエネルギー使用者のエネルギー使用料金分布と関連して該当エネルギー使用者のエネルギー使用料金を表示することを特徴とする、請求項１乃至６のうちいずれか一つに記載のエネルギー表示装置。
【請求項８】
前記ＩＨＤは、他のエネルギー使用者のエネルギー使用料金の平均値と該当エネルギー使用者のエネルギー使用料金を表示することを特徴とする、請求項１乃至７のうちいずれか一つに記載のエネルギー表示装置。
【請求項９】
前記ＩＨＤは、他のエネルギー使用者のエネルギー使用量分布と関連して該当エネルギー使用者のエネルギー使用量を表示することを特徴とする、請求項１乃至８のうちいずれか一つに記載のエネルギー表示装置。
【請求項１０】
前記ＩＨＤは、他のエネルギー使用者のエネルギー使用量の平均値と該当エネルギー使用者のエネルギー使用量を表示することを特徴とする、請求項１乃至９のうちいずれか一つに記載のエネルギー表示装置。
【請求項１１】
エネルギー表示方法において、
エネルギー使用者が使うエネルギー関連データを検出する段階、
エネルギー使用者から他のエネルギー使用者と比較するための比較条件の入力を受ける段階、
前記入力された比較条件に相応して他のエネルギー使用者のエネルギー関連データを受信して処理する統計情報処理段階、及び
前記統計情報処理段階の結果を表示する表示段階を含むことを特徴とする、エネルギー表示方法。
【請求項１２】
前記比較条件は、家の大きさ、家族の人数、エネルギー消費地域の中で選択的に適用することを特徴とする、請求項１１に記載のエネルギー表示方法。
【請求項１３】
前記比較条件は、ＩＨＤを介して入力を受けることを特徴とする、請求項１１または１２に記載のエネルギー表示方法。
【請求項１４】
前記比較条件は、スマートメータを介して入力を受けることを特徴とする、請求項１１乃至１３のうちいずれか一つに記載のエネルギー表示方法。
【請求項１５】
前記統計情報処理段階は、データ集中装置−前記データ集中装置は一定地域のスマートメータと前記スマートメータを総括的に管理するスマート計量システムサーバの間のデータ送受信を中継する装置である−が行うことを特徴とする、請求項１１乃至１４のうちいずれか一つに記載のエネルギー表示方法。
【請求項１６】
前記統計情報処理段階は、前記スマートメータを総括的に管理するスマート計量システムサーバが行うことを特徴とする、請求項１１乃至１５のうちいずれか一つに記載のエネルギー表示方法。
【請求項１７】
前記表示段階は、他のエネルギー使用者のエネルギー使用料金分布と関連して該当エネルギー使用者のエネルギー使用料金を表示することを特徴とする、請求項１１乃至１６のうちいずれか一つに記載のエネルギー表示方法。
【請求項１８】
前記表示段階は、他のエネルギー使用者のエネルギー使用料金の平均値と該当エネルギー使用者のエネルギー使用料金を表示することを特徴とする、請求項１１乃至１７のうちいずれか一つに記載のエネルギー表示方法。
【請求項１９】
前記表示段階は、他のエネルギー使用者のエネルギー使用量分布と関連して該当エネルギー使用者のエネルギー使用量を表示することを特徴とする、請求項１１乃至１８のうちいずれか一つに記載のエネルギー表示方法。
【請求項２０】
前記表示段階は、他のエネルギー使用者のエネルギー使用量の平均値と該当エネルギー使用者のエネルギー使用量を表示することを特徴とする、請求項１１乃至１９のうちいずれか一つに記載のエネルギー表示方法。
【発明の詳細な説明】
【技術分野】
【０００１】
本発明は、エネルギー表示装置及びエネルギー表示方法に関し、特に各使用者のエネルギー消費性向を類似生活環境の他の使用者のエネルギー消費性向と比較して、より一層能動的なエネルギー節約と合理的なエネルギー消費が図れるようにする。
【背景技術】
【０００２】
近来、エネルギー資源をより一層効率的に利用してエネルギー消費を減らすための多様な方案が工夫されている。
【０００３】
例えば、スマートグリッド（Ｓｍａｒｔ  Ｇｒｉｄ）が挙げられるが、スマートグリッドは、電力網に情報技術（ＩＴ）を電力供給者と消費者が両側にリアルタイム情報を交換できるようにして、エネルギー効率を最適化して新しい付加価値を創出できる次世代電力網である。
【０００４】
スマートグリッドと共にスマートメータ（Ｓｍａｒｔ  Ｍｅｔｅｒ）は、通信機能を追加したエネルギー計量器をいい、エネルギー供給者と消費者との間の両側通信が可能で、エネルギー使用量のリアルタイム調査が可能である。
【０００５】
これによって、検針員が直接家庭を訪問しなくても遠隔検針ができ、エネルギー使用量を精度よく測定することができる。
【０００６】
スマートグリッド社会で各家庭には、スマートメータとＩＨＤ（Ｉｎ  Ｈｏｍｅ  Ｄｉｓｐｌａｙ）が備えられ、これによって各種エネルギー使用機器を制御し、多様なエネルギー関連情報を提供することができる。
【０００７】
一方、スマートグリッド社会でもエネルギー節約と合理的なエネルギー消費が行われるためには、各使用者が自らのエネルギー消費を能動的に調節して合理的なエネルギー消費のため努力しなければならない。
【０００８】
このためには、各使用者自らのエネルギー消費性向を正確かつ客観的に評価できるようにすることが必要である。
【発明の概要】
【発明が解決しようとする課題】
【０００９】
本発明は、前記のような必要性に応じて案出されたもので、各使用者のエネルギー消費性向を他の使用者のエネルギー消費性向と多様な側面で客観的に比較して、より一層能動的にエネルギーを節約し、合理的にエネルギーを消費できるように誘導することにその目的がある。
【課題を解決するための手段】
【００１０】
前記目的を達成するために、本発明に係わるエネルギー表示システムとエネルギー表示装置は、エネルギー使用者のエネルギー関連データを検出するスマートメータ、前記エネルギー使用者から他のエネルギー使用者と比較するための比較条件の入力を受ける入力手段、前記入力された比較条件に相応して他のエネルギー使用者のエネルギー関連データを受信して処理する統計情報処理手段、及び前記統計情報処理手段の結果を表すＩＨＤ（Ｉｎ  Ｈｏｍｅ  Ｄｉｓｐｌａｙ）を有して形成される。
【００１１】
この時、前記比較条件は、家の大きさ、家族人数、エネルギー消費地域の中から選択的に適用できる。
【００１２】
前記入力手段は、前記ＩＨＤ（Ｉｎ  Ｈｏｍｅ  Ｄｉｓｐｌａｙ）に位置したり、または前記スマートメータに位置してもよい。
【００１３】
前記統計情報処理手段はデータ集中装置に位置したり、またはスマート計量システムサーバに位置してもよい。
【００１４】
前記スマート計量システムサーバは、前記スマートメータを総括的に管理するサーバをいい、前記データ集中装置は、一定地域のスマートメータと前記スマート計量システムサーバとの間のデータ送受信を中継する装置をいう。
【００１５】
前記ＩＨＤは、他のエネルギー使用者のエネルギー使用料金分布と関連して該当エネルギー使用者のエネルギー使用料金を表示できる。
【００１６】
前記ＩＨＤは、他のエネルギー使用者のエネルギー使用料金の平均値と該当エネルギー使用者のエネルギー使用料金を表示できる。
【００１７】
前記ＩＨＤは、他のエネルギー使用者のエネルギー使用量分布と関連して該当エネルギー使用者のエネルギー使用量を表示できる。
【００１８】
前記ＩＨＤは、他のエネルギー使用者のエネルギー使用量の平均値と該当エネルギー使用者のエネルギー使用量を表示できる。
【００１９】
本発明に係わるエネルギー表示方法は、エネルギー使用者が使うエネルギー関連データを検出する段階、エネルギー使用者から他のエネルギー使用者と比較するための比較条件の入力を受ける段階、前記入力された比較条件に相応して他のエネルギー使用者のエネルギー関連データを受信して処理する統計情報処理段階、及び前記統計情報処理段階の結果を表示する表示段階を有して形成される。
【００２０】
この時、前記比較条件は、家の大きさ、家族の人数、エネルギー消費地域の中から選択的に適用できる。
【００２１】
前記比較条件は、ＩＨＤ（Ｉｎ  Ｈｏｍｅ  Ｄｉｓｐｌａｙ）を介して入力されたり、またはスマートメータを介して入力される。
【００２２】
前記統計情報処理段階は、データ集中装置が行うか、またはスマート計量システムサーバが行うことが出来る。
【００２３】
前記表示段階は、他のエネルギー使用者のエネルギー使用料金分布と関連して該当エネルギー使用者のエネルギー使用料金を表示できる。
【００２４】
前記表示段階は、他のエネルギー使用者のエネルギー使用料金の平均値と該当エネルギー使用者のエネルギー使用料金を表示できる。
【００２５】
前記表示段階は、他のエネルギー使用者のエネルギー使用量分布と関連して該当エネルギー使用者のエネルギー使用量を表示できる。
【００２６】
前記表示段階は、他のエネルギー使用者のエネルギー使用量の平均値と該当エネルギー使用者のエネルギー使用量を表示できる。
【発明の効果】
【００２７】
本発明により、エネルギーを消費する各使用者は、エネルギー使用量、エネルギー使用料金、エネルギー使用の増減傾向等自らのエネルギー消費性向を他の使用者のエネルギー消費性向と比較して見ることができる。
【００２８】
このような比較は、各使用者がエネルギー消費と関連した自分の位置を客観的に見て刺激を与えられ、より一層能動的なエネルギー節約と合理的エネルギー消費を誘導することができる。
【００２９】
特に各使用者は家の大きさ(規模)、家族の人数、エネルギー消費地域等自らと類似環境にいる他の使用者のエネルギー消費性向と自らのエネルギー消費性向を比較して見ることができる。
【００３０】
これにより、各使用者は自らのエネルギー消費性向に関するより一層客観的な評価ができるようになる。
【００３１】
比較のためのあらゆる統計情報は、各家庭に備えられるＩＨＤ（Ｉｎ  Ｈｏｍｅ  Ｄｉｓｐｌａｙ）を介して提供できるため、使用者は簡単かつ便利に自らのエネルギー消費性向を評価することができる。
【図面の簡単な説明】
【００３２】
【図１】全体的なエネルギー管理システムの概要である。
【図２】本発明に係わるエネルギー表示システム(エネルギー表示装置)の一実施形態である。
【図３】入力手段が提供する比較条件入力画面の例である。
【図４】比較のために画面に表示される統計情報の例である。
【図５】ＩＨＤに関する具体的な例である。
【図６】統計情報を要請する使用者インターフェース画面の例である。
【図７】統計情報処理手段に関する具体的な例である。
【図８】本発明に係わるエネルギー表示方法の一実施形態である。
【発明を実施するための形態】
【００３３】
以下、添付図を参照して、本発明に係わる望ましい実施形態を詳細に説明する。
【００３４】
図１はエネルギーを管理する全体システムの例であり、エネルギー供給会社１０はエネルギー供給ライン１１を介してエネルギーを供給し、エネルギー需要家１９はエネルギー供給ライン１１を介して供給されるエネルギーを利用する。
【００３５】
本発明におけるエネルギーとは、特別に区分して言及しない限り、電気、ガス、水道の中いずれか一つをいう。
【００３６】
エネルギー需要家１９は、家庭、事務室、会社、工場等のエネルギー供給会社１０のエネルギー管理単位をいう。
【００３７】
エネルギー需要家１９にはスマートメータ２１とＩＨＤ２３が備えられ、別途に図示しなかったが、エネルギー供給ライン１１を介して伝達されるエネルギーを消費する多様な負荷が存在する。
【００３８】
スマートメータ２１は、通信機能を有するエネルギー計器として、電力量計、ガス計器または水道計器でもあり、エネルギー需要家１９のエネルギー関連データ(例えば、エネルギー使用量)を検出する。
【００３９】
スマートメータ２１は、エネルギーの種類と求められる機能により多様に構成することができ、多様な有線または無線の通信網を介してＩＨＤ２３と互いに通信することができる。
【００４０】
ＩＨＤ（Ｉｎ  Ｈｏｍｅ  Ｄｉｓｐｌａｙ、２３)は、エネルギー需要家１９に備えられるディスプレー装置として、多様な有線または無線の通信網を介してスマートメータ２１、データ集中装置１５、スマート計量システムサーバ１７等と通信することができる。
【００４１】
ＩＨＤ２３は、エネルギーと関連する各種情報を画面に表示し、エネルギー使用者とインターフェースする役割を果たす。
【００４２】
スマート計量システムサーバ１７は、スマートメータ２１と通信してエネルギー需要家１９のエネルギー使用情報を収集したり、各種エネルギー情報を提供する等エネルギー需要家１９のエネルギー使用を総括的に管理する。
【００４３】
スマートメータ２１とＩＨＤ２３は、スマート計量システムサーバ１７と直接通信できるが、各地域のデータ集中装置１５を介して通信することもできる。
【００４４】
データ集中装置１５は、各地域(例えば、マンションの団地、一定数のエネルギー需要家密集地域)に備えられる装置として、該当地域の上向データを集めてスマート計量システムサーバ１７に伝送したり、スマート計量システムサーバ１７から各地域に伝送する下降データを受信して該当地域のエネルギー需要家に伝達する中継装置の役割を果たす。
【００４５】
図２を参照すると、本発明に係わるエネルギー表示装置(または、エネルギー表示システム)２０は、スマートメータ２１、入力手段２２、ＩＨＤ２３、統計情報処理手段２４を含んでなる。
【００４６】
スマートメータ２１は、エネルギー使用者のエネルギー関連データ、例えばエネルギー使用量を検出する役割を果たす。スマートメータ２１で検出されたエネルギー関連データは、スマート計量システムサーバ１７に伝送されて管理され、この過程においてデータ集中装置１５を介して伝送される。
【００４７】
入力手段２２は、エネルギー使用者のエネルギー消費性向を比較するための情報の比較条件の入力を受ける役割を果たし、入力手段２２は入力された比較条件を統計情報処理手段２４に伝達する。
【００４８】
比較条件とは、類似生活環境のエネルギー使用者同士にそのエネルギー消費性向を比較するための情報をいい、比較条件の種類や内容は多様な観点でエネルギー使用者のエネルギー消費性向を比較するために多様に構成できる。
【００４９】
比較条件の具体的な例としては、家の大きさ、家族の人数、エネルギー消費地域等が挙げられる。
【００５０】
比較条件の入力を受ける入力手段２２は多様に構成される。
【００５１】
その一つの例として、入力手段２２の役割を、ＩＨＤ２３が行うように構成できる。また、スマートメータ２１が、エネルギー使用者から比較条件の入力を受けられる使用者インターフェース機能を備えていれば、入力手段２２の役割はスマートメータ２１が行うように構成できる。
【００５２】
このような実施形態において、ＩＨＤ２３やスマートメータ２１は、入力手段２２の役割を果たす機能を備え付けた形態で構成してもよい。
【００５３】
図３は、エネルギー使用者がスマートメータ２１やＩＨＤ２３を介して直接比較条件を入力できるようにする使用者インターフェース（ＵＩ：Ｕｓｅｒ  Ｉｎｔｅｒｆａｃｅ）画面３１０の例を示した。
【００５４】
エネルギー使用者は、家の大きさ入力欄３１１にメータ単位や坪単位で家の大きさを入力でき、家族の人数入力欄３１２に家族構成員の数を入力でき、エネルギー消費地域入力欄３１３にエネルギー需要家の位置(地域)を入力することができる。この時、各入力欄３１１〜３１３は、幾つかの値を提示して、使用者がその中の一つを選択するように構成されることはいうまでもない。
【００５５】
確認ボタン３１５を選択すると、入力された比較情報を統計情報処理手段２４に送付し、取消しボタン３１７を選択すると比較条件入力が取り消される。
【００５６】
一方、エネルギー使用者が、個別的に比較条件を入力することはわずらわしかったり容易でないこともあるため、マンションのような共同住宅の場合には、共同住宅を管理する管理者が各世代の比較条件を一括入力できるように構成してもよい。
【００５７】
この時、共同住宅の管理者が、通信網を介して接近できるサーバ(例えば、スマート計量システムサーバ)で各世代の比較条件を入力できる画面を提供するように構成し、この画面を介して共同住宅の管理者から各世代の比較条件が一括入力される。
【００５８】
統計情報処理手段２４は、入力手段２２を介して入力される比較条件に関する情報と、スマートメータ２１を介して検出されるエネルギー関連データを受信してエネルギー使用者毎に保存して管理する。
【００５９】
そして、比較条件を利用して類似生活環境のエネルギー使用者を選別して、統計処理することによって、各エネルギー使用者が自らのエネルギー消費性向を類似生活環境の他のエネルギー使用者のエネルギー消費性向と比較できる統計情報を伝送する。
【００６０】
このような統計情報処理手段２４の役割は、データ集中装置１５が行うか、またはスマート計量システムサーバ１７が行うように構成できる。
【００６１】
ＩＨＤ２３は、統計情報処理手段２４から統計情報を受信し、受信された統計情報を画面に視覚的に表示する。
【００６２】
ＩＨＤ２３が、統計情報処理手段２４から受信して画面に表示する統計情報の具体的な例を検討する。
【００６３】
統計情報処理手段２４は、比較条件が同一または一定範囲内で一致するエネルギー使用者のエネルギー使用料金分布と関連して、該当エネルギー使用者のエネルギー使用料金を表示できる。
【００６４】
すると、エネルギー使用者は、類似生活環境の他のエネルギー使用者のエネルギー使用料金と自らのエネルギー使用料金を比較して、自らのエネルギー使用がどの程度であるかを直観的に把握でき、これによって自らのエネルギー利用をより一層能動的に調節するようになる。
【００６５】
図４の（４ａ）は、各エネルギー使用料金に対するエネルギー需要家(エネルギー使用者)の数をグラフで示した例であり、類似生活環境のエネルギー使用者のエネルギー使用料金分布における自らの位置（Ａ）を示している。
【００６６】
この時、エネルギー使用料金は、一定期間(例えば、週、月、年、夏期、冬期等)の間の平均値で処理することもでき、全体エネルギー使用者の平均値と該当エネルギー使用者のエネルギー使用料金を表示することもできる。
【００６７】
統計情報処理手段２４は、比較条件が同一または一定範囲内で一致するエネルギー使用者のエネルギー使用量分布と関連して、該当エネルギー使用者のエネルギー使用量を表示できる。
【００６８】
すると、エネルギー使用者は、自らと類似生活環境の他のエネルギー使用者のエネルギー使用量と自らのエネルギー使用量を比較して、自らのエネルギー使用がどの程度であるかを直観的に把握でき、これによって自らのエネルギー利用をより一層能動的に調節するようになる。
【００６９】
図４の（４ｂ）は、各エネルギー使用量に対するエネルギー需要家(エネルギー使用者)の数をグラフで示した例であり、類似生活環境のエネルギー使用者のエネルギー使用量分布における自らの位置(Ｂ)を示している。
【００７０】
この時、エネルギー使用量は、一定期間(例えば、週、月、年、夏期、冬期等)の間の平均値で処理することもでき、全体エネルギー使用者の平均値と該当エネルギー使用者のエネルギー使用量を表示することもできる。
【００７１】
図５は、ＩＨＤ２３に関する具体的な例を示したもので、ＩＨＤ２３はメータインターフェース(２３−１)、通信部(２３−２)、表示部(２３−３)、入力部(２３-４)、制御部(２３−５)を有して形成される。
【００７２】
メータインターフェース(２３−１)は、ＩＨＤ２３が有線または無線の近距離通信方式を利用してスマートメータ２１と通信できるようにする。
【００７３】
通信部(２３−２)は、ＩＨＤ２３がスマート計量システムサーバ１７やデータ集中装置１５と通信できるようにするインターフェースを提供する。ＩＨＤ２３が、スマートメータ２１を介してスマート計量システムサーバ１７やデータ集中装置１５と通信する場合通信部(２３−２)は別途に要しないこともありうる。
【００７４】
表示部(２３−３)は、ＩＨＤ２３の動作と関連した各種情報をディスプレー画面を介して出力する役割を果たす。
【００７５】
入力部(２３−４)は、キーボードやタッチスクリーン等の多様な入力装置を利用して構成でき、エネルギー使用者がＩＨＤ２３の動作に必要な情報や命令を入力できるようにする。
【００７６】
制御部(２３−５)は、ＩＨＤ２３を総括的に制御し、マイクロプロセッサや中央処理処置(ＣＰＵ)を利用して構成してもよい。
【００７７】
基本的に、制御部(２３−５)は、メータインターフェース(２３−１)を介してスマートメータ２１と通信してエネルギー使用量、エネルギー使用料金、エネルギー価格等のエネルギー関連の各種情報を表示部(２３-３)を介して表示する。
【００７８】
また、制御部(２３−５)は、入力部(２３−４)を介して入力される使用者の指示により統計情報処理手段２４から統計情報を要請して、この要請により通信部(２３−２)を介して受信される統計情報を表示部(２３−３)を介して表示する。
【００７９】
図６は、統計情報を問い合わせるようにする使用者インターフェース画面３３０の例であり、現在エネルギー累積使用量やエネルギー使用料金等の基本情報が表示されており、エネルギー使用者が「他の使用者と比較する」ボタン３３１を選択すれば、統計情報処理手段２４に統計情報要請メッセージを伝送する。
【００８０】
統計情報要請と関連して、統計情報を要請する時にエネルギー使用者が、比較条件を入力するように構成したり、既に比較条件が入力されている場合には、比較条件を再入力しなくても良いように構成できる。
【００８１】
ＩＨＤ２３が、入力手段２２の役割を果たせるように構成される場合、制御部(２３-５)は、図３に示された例のように比較条件を入力できるようにする使用者インターフェース画面を表示部(２３−３)を介して出力し、エネルギー使用者が入力した比較条件を統計情報処理手段２４に伝送する。
【００８２】
図７は、統計情報処理手段２４に関する具体的な例を示したもので、通信部(２４−１)、データ収集部(２４−２)、データベース(２４−３)、比較分析処理部(２４−４)を含んで形成される。
【００８３】
通信部(２４−１)は、統計情報処理手段２４が通信網を介して通信できるようにし、データ収集部(２４−２)は、通信部(２４−１)を介して受信される各エネルギー使用者の検針情報(例えば、エネルギー使用量情報)と比較条件情報をデータベース(２４−３)に保存して管理する。
【００８４】
データベース(２４−３)には、本発明に係わる統計情報を提供するために要する情報、例えば各エネルギー使用者(エネルギー需要家)毎の検針情報、家の大きさ、家族の人数、エネルギー消費地域等が保存されて管理される。
【００８５】
比較分析処理部(２４−４)は、各エネルギー使用者の統計情報要請によりデータベース(２４−３)に保存されている情報を問い合わせて、該当エネルギー使用者の生活環境と類似するエネルギー使用者グループを探し、図４を参照して説明した例のようにエネルギー使用者のエネルギー消費性向を比較できる統計情報を生成し、通信部(２４−１)を介して該当エネルギー使用者のＩＨＤ２３に伝送する。
【００８６】
例えば、統計情報を要請したエネルギー使用者が、ソウル市瑞草区瑞草洞に居住しており、家の大きさが３０坪、家族の人数が５人だとすると、統計情報処理手段２４は、データベース(２４−３)で同じ条件(または、一定範囲で類似する条件)の生活環境を有するエネルギー使用者を検索する。
【００８７】
そして、検索されたエネルギー使用者のエネルギー使用料金やエネルギー使用量分布と該当エネルギー使用者の位置を算出して伝送する。
【００８８】
比較分析処理部(２４−４)は、周期的に統計情報を生成して、各エネルギー需要家に伝送してもよい。この場合、各エネルギー需要家のＩＨＤは、該当統計情報を直ちに、または保存して、エネルギー使用者の要請に従って表示できる。
【００８９】
図８を参照して、本発明に係わるエネルギー表示方法の一実施形態を詳細に説明する。
【００９０】
各エネルギー需要家のスマートメータを介してエネルギー使用量といったエネルギー関連データが検出され、各エネルギー需要家の比較条件が入力される(Ｓ２１１)。
【００９１】
比較条件とは、類似生活環境のエネルギー使用者同士がそのエネルギー消費性向を比較するための情報をいい、比較条件の種類や内容は多様な観点からエネルギー使用者のエネルギー消費性向を比較するために多様に構成できる。
【００９２】
比較条件の具体的な例としては、家の大きさ、家族の人数、エネルギー消費地域等が挙げられる。
【００９３】
比較条件は、多様な方法と経路を介して入力できる。
【００９４】
例えば、ＩＨＤ２３が比較条件を受信できる使用者インターフェース（Ｕｓｅｒ  Ｉｎｔｅｒｆａｃｅ）を提供することによってエネルギー使用者からの比較条件の入力を受けられる。
【００９５】
仮に、スマートメータが比較条件の入力を受けられる使用者インターフェース機能を備えている場合は、スマートメータを介して入力を受けてもよい。
【００９６】
エネルギー使用者が、個別的に比較条件を入力することはわずらわしかったり、容易でないこともあるため、マンションのような共同住宅の場合には、共同住宅を管理する管理者が各世代の比較条件を一括入力するように構成できる。
【００９７】
この時、共同住宅の管理者が、通信網を介して接近できるサーバ(例えば、スマート計量システムサーバ)で各世代の比較条件を入力できる画面を提供するように構成し、この画面を介して共同住宅の管理者から各世代の比較条件を一括的に入力を受けてもよい。
【００９８】
段階Ｓ２１１において検出されたエネルギー関連データと、入力された比較条件は、統計情報処理手段に伝送され、統計情報処理手段は、データベース(２４-３)にエネルギー需要家毎のエネルギー関連データと比較情報を保存して管理する(Ｓ２１２)。
【００９９】
段階Ｓ２１１乃至Ｓ２１２は、随時行うことができる過程であり、これを介して各エネルギー需要家のエネルギー使用情報と比較条件に関する情報(家の大きさ、家族の人数、エネルギー消費地域等)が収集されて累積して、最新の情報に更新される。
【０１００】
図１を参照して説明したように、各エネルギー需要家に備えられるスマートメータ２１とＩＨＤ２３は、スマート計量システムサーバ１７と直接通信するか、データ集中装置１５を介してスマート計量システムサーバ１７と通信してもよい。
【０１０１】
この時、統計情報処理手段の役割は、スマート計量システムサーバ１７またはデータ集中装置１５が行えるように構成してもよい。
【０１０２】
入力手段２２は、エネルギー使用者のエネルギー消費性向を比較するための情報の比較条件の入力を受ける役割を果たし、入力手段２２は入力された比較条件を統計情報処理手段２４に伝達する。
【０１０３】
一方、統計情報処理手段は、統計情報を提供する必要があれば(Ｓ２１３)、データベース(２４-３)に保存されている情報を利用して該当エネルギー使用者が自らのエネルギー消費性向を他のエネルギー使用者のエネルギー消費性向と比較して見ることができる統計情報を生成する(Ｓ２１４)。
【０１０４】
つまり、統計情報処理手段は、データベース(２４-３)で統計情報を伝送するエネルギー使用者の生活環境と同一または類似するエネルギー使用者グループを探し、図４を参照して説明したように、エネルギー使用者のエネルギー消費性向を比較できる統計情報を生成する。
【０１０５】
段階Ｓ２１３において統計情報を提供する必要性は、多様な場合に生じる。
【０１０６】
例えば、あるエネルギー使用者が、統計情報を要請した時生じることもあり、統計情報処理手段が、周期的に統計情報を伝送するように構成すると該当周期になった時に生じることもある。
【０１０７】
統計情報処理手段は、段階Ｓ２１４において生成された統計情報を該当エネルギー需要家のＩＨＤに伝送し(Ｓ２１５)、該当エネルギー需要家のＩＨＤは受信された統計情報を画面に表示する(Ｓ２１６)。
【０１０８】
段階Ｓ２１６においては、図４の（４ａ）を参照して説明したように、比較条件が同一または一定範囲内で一致するエネルギー使用者のエネルギー使用料金分布と関連して該当エネルギー使用者のエネルギー使用料金を表示できる。
【０１０９】
この時、エネルギー使用料金は一定期間(例えば、週、月、年、夏期、冬期等)の間の平均値で処理することもでき、全体エネルギー使用者の平均値と該当エネルギー使用者のエネルギー使用料金を表示することもできる。
【０１１０】
また、図４の（４ｂ）を参照して説明したように、比較条件が同一または一定範囲内で一致するエネルギー使用者のエネルギー使用量分布と関連して該当エネルギー使用者のエネルギー使用量を表示できる。
【０１１１】
この時、エネルギー使用量は一定期間(例えば、週、月、年、夏期、冬期など)の間の平均値で処理することもでき、全体エネルギー使用者の平均値と該当エネルギー使用者のエネルギー使用量を表示することもできる。
【０１１２】
前述した実施形態は、本発明の理解を助けるためであり、本発明は前述した実施形態に限定されずに本発明の技術的思想を逸脱しない範囲内で当業者によって多様に変形して実施できることは無論である。
【符号の説明】
【０１１３】
１０      エネルギー供給会社
１１      エネルギー供給ライン
１５      データ集中装置
１７      スマート計量システムサーバ
１９      エネルギー需要家
２１      スマートメータ
２２      入力手段
２３      ＩＨＤ
２３−１      メータインターフェース
２３−２      通信部
２３−３      表示部
２３−４      入力部
２３−５      制御部
２４          統計情報処理手段
２４−１      通信部
２４−２      データ収集部
２４−３      データベース
２４−４      比較分析処理部
【図８】
2012190457.tif 000003
【図１】
2012190457.tif 000004
【図２】
2012190457.tif 000005
【図３】
2012190457.tif 000006
【図４】
2012190457.tif 000007
【図５】
2012190457.tif 000008
【図６】
2012190457.tif 000009
【図７】
2012190457.tif 000010